(57)【要約】      （修正有）【課題】地元のジュエリーに携わる企業の活性化を図ることができるブライダルリングの製作方法を提供する。【解決手段】全国あるいは世界各地にある名所・デートコースをリストアップする段階と、該名所・デートコースのイメージデータを入手する段階と、前記イメージデータに対応する宝飾品の製品をパターン化する段階と、前記製品のパターンに対応する製品の原型を製作する段階と、前記製品のパターンに対応する製品を製作する段階と、前記パターン化した製品からユーザが適宜選択する段階と、選択された製品をディスプレイ表示する段階とを有することを特徴とする。【選択図】図１
2020142024.tif 000002
【特許請求の範囲】
【請求項１】
全国あるいは世界各地にある名所・デートコースをリストアップする段階と、該名所・デートコースのイメージデータを入手する段階と、前記イメージデータに対応する宝飾品の製品をパターン化する段階と、前記製品のパターンに対応する製品の原型を製作する段階と、前記製品のパターンに対応する製品を製作する段階と、前記パターン化した製品からユーザが適宜選択する段階と、選択された製品をディスプレイ表示する段階とを有することを特徴とするブライダルリングの製作方法。
【請求項２】
前記名所・デートコースのイメージデータは、著作権の問題を生じないイメージデータを使用することを特徴とする請求項１に記載のブライダルリングの製作方法。
【請求項３】
前記選択可能な製品は、そのディスプレイが製品の収納部位と、前記イメージデータの画像の収納部位とを備えていることを特徴とする請求項１または２に記載のブライダルリングの製作方法。
【発明の詳細な説明】
【技術分野】
【０００１】
本発明は、地域経済の活性化につなげることを可能とするブライダルリングの製作方法に関する。
【背景技術】
【０００２】
今日現在、地方で想定されるブライダルリング等のユーザのリング選びのポイントとしては以下のＡ〜Ｄの点を挙げることができる。
Ａ．ブランドの有名軸で探す。
すなわち、海外のよく知られているブランド名で探す。
Ｂ．購入する場所軸で探す。
例えば、銀座や表参道等の大都市の高級ブランドの店舗街、または大都市の有名百貨店で探す。
Ｃ．デザイン軸で探す。
ブランドの有名度にとらわれず、好みのデザインで探す。
Ｄ．予算軸（出来るだけ安いモノ）で探す。
ＥＣサイト（販売を目的としたＷｅｂサイト）や卸直販系のお店で探す。
【０００３】
これらのリング選びを地方の店と首都圏（大都市圏）の店とに区分すると、前記ＡやＢは地元の店がアプローチできない客層になる。
これらの客層は地元の店舗から全て流出し、地元に住んでいるにも関わらず地元にお金が落ちることはない。
なお、流出した都道府県においてはかなりの客層を占めると言われている。
ただ、地元に住んでいるからには地元に何らかの愛着（仕事や家族が絡むこともある）を持っている可能性が高く、彼らの人生の思い出とリングの意味合いがマッチし、かつ前記Ｃのニーズに叶ったデザインであれば購入に到る客層も一定数はいるという予測ができる。
ちなみに、前記Ｄの客層はアプローチこそできるが、実店舗で追いかけるには限界があると考えられる。
【０００４】
ブライダルジュエリー業界にＣのニーズに叶った購入できるデザインのリングが出てこなかった背景としては以下の理由が考えられる。
例えば、山梨の名所等に絡めたリングを作っても『山梨県内でしか販売できない』というものである。例えば原型を一型作ってもそれをペイできる本数が売れてこない。
【先行技術文献】
【特許文献】
【０００５】
【特許文献１】特になし
【発明の概要】
【発明が解決しようとする課題】
【０００６】
ブライダルリングに関して言えば、例えば、デートコース、思い出の場所、結婚する二人の軌跡（ＫｉｓｅＫｉ）がコンセプトになり、場所の名前をリング名とすれば、地元の方だからこそ共感できるローカルなキャプション付で特徴がデザインの中に表現されることになる。
例えばノスタルジックな原風景は結婚する二人それぞれの思い出を呼び起こすものになる。すなわち、結婚する二人の奇跡（ＫｉｓｅＫｉ）の出会いと貴石（ＫｉｓｅＫｉ）とダイヤモンドとを繋ぐコレクションである。ちなみに、ダイヤモンドはその硬さから「固い絆を結ぶ」という意味がある。
本発明は、地元のジュエリーに携わる企業の活性化を図ることができるブライダルリングの製作方法を提供することを目的とするものである。
【課題を解決するための手段】
【０００７】
以上のコンセプトを実現するため、本発明のブライダルリングの製作方法は、全国あるいは世界各地にある名所・デートコースをリストアップする段階と、該名所・デートコースのイメージデータを入手する段階と、前記イメージデータに対応する宝飾品の製品をパターン化する段階と、前記製品のパターンに対応する製品の原型を製作する段階と、前記製品のパターンに対応する製品を製作する段階と、前記パターン化した製品からユーザが適宜選択する段階と、選択された製品をディスプレイ表示する段階とを有することを特徴とするものである。
【０００８】
本発明のブライダルリングの製作方法において、前記名所・デートコースのイメージデータは、著作権の問題を生じないイメージデータを使用することをも特徴とするものである。
【０００９】
本発明のブライダルリングの製作方法において、前記選択可能な製品は、そのディスプレイが製品の収納部位と、前記イメージデータの画像の収納部位とを備えていることをも特徴とするものである。
【発明の効果】
【００１０】
請求項１のブライダルリングの製作方法は、以上のように全国あるいは世界各地にある名所・デートコースをリストアップし、該名所・デートコースのイメージデータを入手した上、前記イメージデータに対応する宝飾品の製品をパターン化した上、前記製品のパターンに対応する製品の原型を製作して、前記製品のパターンに対応する製品を製作し、前記パターン化した製品からユーザが適宜選択して、選択された製品をディスプレイ表示ものである。
したがって、デートコース、思い出の場所、結婚する二人の軌跡（ＫｉｓｅＫｉ）をコンセプトとし、場所の名前をリング名とすれば、地元の方だからこそ共感できるローカルなキャプション付で特徴がデザインの中に表現されたブライダルリングの提供が可能となる。
【００１１】
請求項２のブライダルリングの製作方法において、前記名所・デートコースのイメージデータは、著作権の問題を生じないイメージデータを使用することにしたため、著作権の問題を生じることがなく、安心して商品化を進めることができるようになった。
【００１２】
請求項３のブライダルリングの製作方法において、前記選択可能な製品は、そのディスプレイが製品の収納部位と、前記イメージデータの画像の収納部位とを備えているため、明確なコンセプトをディスプレイに表現することができ、記念のブライダルリングとしての購入意欲を高めることができる。
【図面の簡単な説明】
【００１３】
【図１】本発明のブライダルリングの製作方法を説明するためのフローチャートである。
【図２】製品のディスプレイ表示を示す斜視図である。
【図３】ディスプレイ表示に挿入するディスプレイ表示等のイメージ図である。
【図４】製品のイメージを説明するための概略正面図である。
【発明を実施するための形態】
【００１４】
以下、本発明のブライダルリングの製作方法の実施の形態を図面に基いて詳細に説明する。
本発明のブライダルリングの製作方法においては、図１に示すような各段階を経て実施される。
１）全国あるいは世界各地にある名所・デートコースをリストアップする段階
例）山梨県
Ａ．富士山＝山のイメージ
Ｂ．花（の名所）『舞鶴公園』＝桜のイメージ
Ｃ．ライトアップ（公園）『甲府駅周辺』＝光をイメージ
その他、Ｄ．川（富士川、釜無川）、Ｅ．夜景（フルーツ公園）、Ｆ．花火（神明の花火）等を想定することができる。
【００１５】
２）該名所・デートコースのイメージデータを入手する段階
この名所・デートコースのイメージデータは、著作権の問題を生じないイメージデータを使用するものである。その入手方法としては、その地域の取扱店の従業員が撮影したもの（著作権の帰属を明確にするため）、ＴＶ局等の名所・デートコースの写真を数多く所有している事業所から有償で使用の許諾を受けたもの等を挙げることができる。
このように名所・デートコースの写真はユーザ（結婚する当事者）が用意するものではなく、出願人や出願人の地方提携小売店が選別し、用意しておくものである。こうすることによって、１つの原型を使って多くの名所のパターンにはめ込むことが可能となり、予めデザイン（型）を決めて商品を用意して展示することが可能となるのである。したがって、ユーザ（結婚する当事者）は購入するかしないかというセミオーダ的な購入形態とすることができる。
こうすれば、著作権の問題を生じないようにすることができ、法的安定性を確保した状態で製品化を進めることができる。
（ア）契約・・・最初に写真権利帰属の内容を含んだ契約書を締結する。
（イ）場所の決定・・・事業主体の用意した「名所パターン」と合致する人気名所を地元企業がピックアップして決定する。
（ウ）場所の撮影・・・選定した「名所」の写真等のイメージデータを用意してもらう。もちろん、地元企業が親しい媒体から入手することも可能である。
【００１６】
３）前記イメージデータに対応する宝飾品の製品をパターン化する段階
４）前記製品のパターンに対応する製品の原型を製作する段階
５）前記製品のパターンに対応する製品を製作する段階
例）山梨県
（Ａ）山『富士山』をイメージした婚約・結婚指輪３本セット
（ｂ）花（の名所）『舞鶴公園』＝桜をイメージした婚約指輪３本セット
（Ｃ）ライトアップ（公園）『甲府駅周辺』＝光をイメージした婚約・結婚指輪３本セット
例えば、同じ名所（山なら山のイメージの型）を５型程度作り、全国を大枠のセグメントで分け、客層が被らないようにして、同型を８〜９都道府県で販売できる仕組である。
例えば、北海道の『蝦夷富士』のイメージで作ったものは、山梨の『富士山』と同型でも『ユーザ』は被ってこないという考え方である。すなわち、地方店のホームページや広告等もユーザは目にしない。
【００１７】
６）前記パターン化した製品からユーザが適宜選択する段階
前記したところをもとに地域単店（販売店）をベースに店頭に導入してもらい、ユーザにヒアリングした上、『山』をその県のどの山にするかを決め、その後前記『山』イメージのリング５型から選んでもらう。
すなわち、その地域の地元ユーザをターゲットにノスタルジアを絡めながら、対面販売してもらう仕組みをイメージしている。
このやり方であれば、１型（原型＆商品撮影）作っても十分利益の出る数量の販売を見込むことができ、地方ユーザの大都市圏への流出を少しでも食い止める仕組みになると考えられる。
【００１８】
本発明に使用する素材としては、プラチナ９００、１８金として３つ色あいのもののほか、柔らかく製品化が難しいプラチナ１０００もオプション等で供給することができる。
したがって、地方ユーザの大都市圏への流出対策だけでなく、地方に『落下傘』的に出店する全国展開のチェーン店へ対抗しうる『アンチテーゼ』としても、地方店に貢献することができる。
【００１９】
７）選択された製品をディスプレイ表示する段階
前記選択された製品のディスプレイ表示は、製品の収納部位と、前記イメージデータの画像の収納部位とを備えている。
図２および図３は製品のディスプレイ表示１１の状態を示す斜視図およびイメージ図であり、左側には製品のパターンを収納するケース１２を、右側には製品イメージを収納する表示部１３が配置されている。
図４は製品のイメージを説明するための概略正面図であり、例えば山に関する複数の製品イメージが表示されている。
【００２０】
近年においては、メーカーブランドであっても、商品のキャプション（リングの名前・意味合い）は充実してきている。
ただ、あくまでもデザインが気に入った後、もう一押しの一助にはなるといった程度に過ぎない。
今回のコンセプトに基づくコレクションは、ユーザへの最初のセールストークで冒頭からキャプシヨン推しができる。
（例）単純に、花や星座の名のキャプションがユーザにピッタリ当てはまる可能性は少ないが、地元の名所であれば何かしらが地元ユーザやカップルの思い出とリンクする可能性は高くなってくる。
【００２１】
『地方創生』等、地元に還元できる仕組みとして、国や、地方公共団体でも興味を持ってもらうことができる。
したがって、「国や都道府県等の地方公共団体からの認定事業として、『セールストーク』できることを想定している。要するに、地元から資金が流出しない仕組みとすることができる。
【００２２】
一つの試みとして、デザインは『シンプル・コンサバティブ』、『シンプル・アンティーク』の２ラインでの取り揃えとすることができる。
本発明のコンセプトはキャプションをメインとする企画であり、「嫌いである」ということが少ない『最大公約数のデザイン』というコンセプトでまとめることが望ましい。
上記と並行して、導入商品を作り込む。そして全ての納期は全体で２カ月から３カ月とすることができる。
【産業上の利用可能性】
【００２３】
本発明はブライダルリングを基本的な適用対象として開発してきたが、ブライダルリング以外のジュエリー製品にも適用することができることはいうまでもない。
【符号の説明】
【００２４】
１１  ディスプレイ表示
１２  ケース
１３  表示部
【図１】
2020142024.tif 000003
【図２】
2020142024.tif 000004
【図３】
2020142024.tif 000005
【図４】
2020142024.tif 000006